(57)【要約】【課題】スクリーンの巻取り収納時にスクリーン同士が所定の間隙を保持し、空気層を介在して巻き取り可能とし、霜付きや凍結、更には熱によるスクリーン同士の付着等のトラブルを未然に防止可能なロールスクリーン装置の提供。【解決手段】スクリーン１の幅を巻き取り始めの根元から先端に向かって拡幅し、スクリーン１の両側縁２、２を階段状段付き成形してスクリーン全体を末広がり形状とし、このスクリーン１の末広がりの階段状段付き形状に対応して、その径Ｄが段階的に大きくなる段付き円筒形の巻取り体３を形成し、巻取り体３にスクリーン１を巻き取る巻取り機構Ｋｍを有し、スクリーン１を収納可能な筐体５を備え、収納時にはスクリーン１同士が接触することなく、スクリーン１相互間に間隙Ｇを保持して空気層を介在させ、断面多重同心円状となるように巻き取る構成としたことを特徴とする。【選択図】        図１
2004324336.tif 000002
【特許請求の範囲】
【請求項１】
スクリーンの幅を巻き取り始めの根元から先端に向かって拡幅し、スクリーンの両側縁を階段状段付き成形してスクリーン全体を末広がり形状とし、このスクリーンの末広がりの階段状段付き形状に対応して、その径が段階的に大きくなる段付き円筒形の巻取り体を形成し、該巻取り体に前記スクリーンを巻き取る巻取り機構を有し、前記スクリーンを収納可能な筐体を備え、収納時にはスクリーン同士が接触することなく、スクリーン相互間に間隙を保持して空気層を介在させ、断面多重同心円状となるように巻き取る構成としたことを特徴とするロールスクリーン装置。
【請求項２】
スクリーンの幅を巻き取り始めの根元から先端に向かって拡幅し、スクリーンの両側縁を連続的に拡大変化させ、スクリーン全体を末広がり扇型類似形状とし、このスクリーンの末広がり扇型類似形状に対応して、その径が連続的に拡大変化する螺旋型筒状の巻取り体を形成し、該巻取り体に前記スクリーンを巻き取る巻取り機構を有し、前記スクリーンを収納可能な筐体を備え、収納時にはスクリーン同士が接触することなく、スクリーン相互間に間隙を保持して空気層を介在させ、断面渦巻き状となるように巻き取る構成としたことを特徴とするロールスクリーン装置。
【請求項３】
請求項１または２記載のロールスクリーン装置において、前記巻取り体のスクリーンに接触する表面に線状の凸部を形成せしめ、スクリーンの面との接触面積を減らす構成としたことを特徴とするロールスクリーン装置。
【発明の詳細な説明】
【０００１】
【発明の属する技術分野】
本発明は、日除け、目隠し、霜付き防止、凍結防止、熱による相互の付着防止等に用いられるロールスクリーン装置に関する。
【０００２】
【従来の技術】
日除け、目隠し、或いは映写用のロールスクリーン等が従来から多く知られる。
【０００３】
スクリーン両側縁のほつれを防止しながら、スクリーン両側縁の巻径の増大を抑制し得るロールブラインドのスクリーンとして、スクリーンの側縁に切り欠きを設けた裁断を施した提案が開示されている（例えば、特許文献１参照。）。
【０００４】
また、防汚機能、消臭機能を備えるロールスクリーンとして、スクリーン部材に消臭剤が練り込まれた合成樹脂シートを用い、合成樹脂シートは、凹凸状の凹凸シートの少なくとも一方の面に平坦シートが貼付されている気泡シートとした提案が開示されている（例えば、特許文献２参照。）。
【０００５】
【特許文献１】
特開平１１−３２４５３１号公報
【特許文献２】
特開２００２−２９５１４３号公報
【０００６】
【発明が解決しようとする課題】
上述の従来例は、１）では、スクリーン側縁のほつれを防止するのが目的であり、２）では、防汚、消臭を目的とするもので、本発明の目的とは異なるものである。
【０００７】
本発明は、従来例では見逃されている部分を解決するために成されたもので、スクリーンの巻取り収納時にスクリーン同士が所定の間隙を保持し、空気層を介在して巻取り可能な巻取り機構を備え、霜付きや凍結、更には熱によるスクリーン同士の付着等のトラブルを未然に防止可能なロールスクリーン装置を提供することを目的とする。
【０００８】
【課題を解決するための手段】
本発明は、下記構成を備えることにより上記課題を解決できるものである。
【０００９】
（１）スクリーンの幅を巻き取り始めの根元から先端に向かって拡幅し、スクリーンの両側縁を階段状段付き成形してスクリーン全体を末広がり形状とし、このスクリーンの末広がりの階段状段付き形状に対応して、その径が段階的に大きくなる段付き円筒形の巻取り体を形成し、該巻取り体に前記スクリーンを巻き取る巻取り機構を有し、前記スクリーンを収納可能な筐体を備え、収納時にはスクリーン同士が接触することなく、スクリーン相互間に間隙を保持して空気層を介在させ、断面多重同心円状となるように巻き取る構成としたロールスクリーン装置。
【００１０】
（２）スクリーンの幅を巻き取り始めの根元から先端に向かって拡幅し、スクリーンの両側縁を連続的に拡大変化させ、スクリーン全体を末広がり扇型類似形状とし、このスクリーンの末広がり扇型類似形状に対応して、その径が連続的に拡大変化する螺旋型筒状の巻取り体を形成し、該巻取り体に前記スクリーンを巻き取る巻取り機構を有し、前記スクリーンを収納可能な筐体を備え、収納時にはスクリーン同士が接触することなく、スクリーン相互間に間隙を保持して空気層を介在させ、断面渦巻き状となるように巻き取る構成としたロールスクリーン装置。
【００１１】
（３）前項（１）または（２）記載のロールスクリーン装置において、前記巻取り体のスクリーンに接触する表面に線状の凸部を形成せしめ、スクリーンの面との接触面積を減らす構成としたロールスクリーン装置。
【００１２】
【発明の実施の形態】
以下、本発明に係るロールスクリーン装置の実施の形態を説明する。
【００１３】
図１は、実施例１におけるスクリーンの形状を示す展開図、図２（ａ）は、実施例１における巻取り機構を示す側面図、（ｂ）は、Ａ−Ａ矢視図、図３は、実施例２におけるスクリーンの形状を示す展開図、図４（ａ）は、実施例２における巻取り機構を示す側面図、（ｂ）は、Ａ−Ａ矢視拡大図、図５は、実施例１における巻取り体の拡大斜視図、図６は、実施例３における線接触巻取り体の一例を示す拡大斜視図、図７は、実施例２における巻取り体の拡大斜視図、図８は、実施例４における線接触巻取り体の一例を示す拡大斜視図である。
【００１４】
（実施例１）
スクリーン１の幅を巻き取り始めの根元から先端に向かって拡幅し、スクリーン１の両側縁２、２を階段状段付き成形してスクリーン１全体を末広がり形状とし、このスクリーン１の末広がりの階段状段付き形状に対応して、その径Ｄが段階的に大きくなる（ｄ１〜ｄｎ）段付き円筒形の巻取り体３を形成し、該巻取り体３に前記スクリーン１を巻き取る巻取り機構Ｋｍを有し、前記スクリーン１を収納可能な筐体５を備え、収納時にはスクリーン１、…１同士が接触することなく、スクリーン１、…１相互間に間隙Ｇ（ｇ１〜ｇｎ）を保持して空気層を介在させ、断面多重同心円状（図２（ｂ）参照）となるように巻き取る構成としてある。
【００１５】
図１、２に示すように、スクリーン１の根元の幅をＬ１とし、段階的に拡幅してＬ２、…Ｌ（ｎ−１）、Ｌｎとし、これらの寸法は、駆動軸３ａを介して左右両側に配される巻取り体３、３の離間距離寸法Ｌ１、…Ｌ（ｎ−１）、Ｌｎと互いに係合し、またスクリーン１の階段状段付き部の長手方向の寸法ｌ１、ｌ２、…ｌ（ｎ−１）、ｌｎは、夫々対応する径（直径）ｄ１、…ｄｎに対し円周率πを乗じた値よりも大きくならないように調整すれば良い。
【００１６】
また、図５に示すように、径（直径）Ｄが階段状に大きくなる段付き円筒形の巻取り体３に係合する両側縁を階段状段付き成形したスクリーン１を巻き取った時にスクリーン同士の間隙Ｇ（ｇ１〜ｇｎ）は略均等に配され、空気層を介在して密着するのを防止し、スクリーン１に水分が付着したりしている場合、特に寒冷地などでの凍結被害を回避することが出来る。
【００１７】
９は、芯材であり、スクリーン自体が弛んでしまうような場合は、剛性のある素材、例えば、樹脂製、金属製、の帯状体、線状体等をスクリーンを巻取る際に支障のないようにスクリーンの幅方向に沿って、縫込み、貼着すれば良く、スクリーン自体の弛みや歪みを防止出来るものであれば良く、材料を限定するものではない（図１参照）。
【００１８】
他の符号について、１ｃはスクリーン１の先端部に設けられた細長状保持体であり、掛止部１ａを添設してスクリーン１を引出して使用する時に所望の個所に掛止して、日除け、雨除け、霜降り、凍結などを防ぐことが出来る。
【００１９】
１ｂは把持部であり、使用者が手でスクリーンを引出す時に用いることが出来る。図中の把持部１ｂの形状は、これに限定するものではなく、紐状のものを手で処置できるように所望の位置に設けても良い。
【００２０】
尚、符号８は損傷防止部であって、特にスクリーン側縁の損傷を防止するための所謂「ステッチ」であり、繊維を素材として製作されたスクリーンの場合は必要であり、合成樹脂等を素材とした場合であれば、側縁を縁に沿って折り曲げ、貼着補強としても良い。
【００２１】
（実施例２）
以下、実施例２について、図３、４を参照して説明する。
【００２２】
スクリーン１′の幅を巻き取り始めの根元から先端に向かって拡幅し、スクリーン１′の両側縁２′、２′を連続的に拡大変化する末広がり扇型類似形状とし、このスクリーン１′の末広がり扇型類似形状に対応して、その径ＤＳが連続的に拡大変化する螺旋型筒状の巻取り体６を形成し、該巻取り体６に前記スクリーン１′を巻き取る巻取り機構Ｋｍ′を有し、前記スクリーン１′を収納可能な筐体５′を備え、収納時にはスクリーン１′同士が接触することなく、スクリーン１′相互間に間隙ＧＳ（ｇｓ１〜ｇｓｎ）を保持して空気層を介在させ、断面渦巻き状（図４（ｂ）参照）となるように巻き取る構成としてある。
【００２３】
図３、図４（ａ）において、スクリーン１′の根元の寸法をＬ１′としたとき、両側縁２′、２′の細長状保持体１ｃ′が設けられた先端部の幅方向の直線との成す角度が図中θとなる末広がり扇型類似形状を呈し、この角度θは螺旋型筒状の巻取り体６（図４（ａ）、（ｂ）参照）を平面に展開したときに、前記スクリーン１′と相似形を呈して係合／合致するように構成してある。
【００２４】
図７は、螺旋型筒状の巻取り体６の拡大斜視図であり、この巻取り体６に末広がり扇型類似形状のスクリーン１′を巻取ったときに、スクリーン１′相互間の間隙Ｇ（ｇｓ１〜ｇｓｎ）は連続して略均等に保持できるように構成されている。
【００２５】
（実施例３）
実施例３は、図６に示すように、実施例１で用いた段付き円筒形の巻取り体３のスクリーン１が接触する円筒形の表面に線状の凸部７を形成して巻取り体３′を構成し、スクリーン１相互間の間隙Ｇ′（ｇ１′〜ｇｎ′）は、径（直径）Ｄ′が段階的に大きくなる巻取り体３′に係合して略均等に保持することが出来ると共に、スクリーン自体巻取り体３′の線状の凸部７によってスクリーン１の面との接触面積を減らし、例えば、線接触状態を呈して接触面積を減ずることが出来、密着部を減らして、例えば、凍結による付着等の不都合となる要因を削減することが出来る。
【００２６】
線状の凸部７の断面形状は、円形、三角形、方形等が考えられ、スクリーンの性状に応じて選択／決定すれば良い。また取り付け方法としては、図６に示すように巻取り体の巻取り方向に直交して設けるとは限らず、斜行するように配設しても良い。更にスクリーンの面と巻取り体との接触面積を減らすために、巻取り体の表面に所望ピッチで線状の溝を刻設して、線状の凹凸を形成するようにしても良い。
【００２７】
（実施例４）
実施例４は、図８に示すように、実施例２で用いた螺旋型筒状の巻取り体６の末広がり扇型類似形状のスクリーン１′が接触する表面に線状の凸部７′を形成して巻取り体６′を構成し、スクリーン１′相互間の間隙ＧＳ′（ｇｓ１′〜ｇｓｎ′）は、連続して略均等に保持できるように構成した例である。
【００２８】
尚、７′は線状の凸部７と、８′は損傷防止部８と、９′は芯材９と、夫々同様の機能を有するため、説明の重複を避け、省略してある。
【００２９】
尚また、本発明に係るロールスクリーン装置は、従来の駆動部を備えたロールスクリーンの収納用筐体に取り付け、取り外しができる構成とすることが出来る。
【００３０】
尚更に、使用例を挙げれば、車にかざして直射日光を遮り、車内の温度上昇を抑制し、冬季においては、フロントガラスへの空気中の水分の凍て付き等を防止することが出来、冬季、夏季に拘らず余分な手間を掛けず、簡便に取り扱うことが出来る。
【００３１】
【発明の効果】
以上説明したように、スクリーンの巻取り収納時にスクリーン同士が所定の間隙を保持し、空気層を介在して巻取り可能な巻き取り機構を備え、霜付きや凍結、更には、樹脂製のスクリーンでは高温時の熱によるスクリーン同士の付着等のトラブルを未然に防止可能なロールスクリーン装置を提供することが出来る。
【図面の簡単な説明】
【図１】実施例１におけるスクリーンの形状を示す展開図
【図２】（ａ）実施例１における巻取り機構を示す側面図、（ｂ）Ａ−Ａ矢視図
【図３】実施例２におけるスクリーンの形状を示す展開図
【図４】（ａ）実施例２における巻取り機構を示す側面図、（ｂ）Ａ−Ａ矢視拡大図
【図５】実施例１における巻取り体の一例を示す拡大斜視図
【図６】実施例３における巻取り体の一例を示す拡大斜視図
【図７】実施例２における巻取り体の一例を示す拡大斜視図
【図８】実施例４における巻取り体の一例を示す拡大斜視図
【符号の説明】
１、１′  スクリーン
１ａ、１ａ′  掛止部
１ｂ、１ｂ′  把持部
１ｃ、１ｃ′  細長状保持体
２、２′  側縁
３、３′  巻取り体（段付き円筒形の）
３ａ、３ａ′、６ａ、６ａ′  駆動軸
５、５′  筐体
６、６′  巻取り体（螺旋型筒状の）
７、７′  線状の凸部
８、８′  損傷防止部
９、９′  芯材
Ｋｍ、Ｋｍ′  巻取り機構
【図１】
2004324336.tif 000003
【図２】
2004324336.tif 000004
【図３】
2004324336.tif 000005
【図４】
2004324336.tif 000006
【図５】
2004324336.tif 000007
【図６】
2004324336.tif 000008
【図７】
2004324336.tif 000009
【図８】
2004324336.tif 000010